(57)【要約】  基礎表面上に敷設された床面要素からなり、該床面要素と該基礎表面の間に、溶媒および水を実質的に含まない接着剤により提供されている接着による接着剤層を備えた中間層（該中間層は、該基礎表面に接着され得、該中間層上に該床面要素が置かれる。）が存在する、基礎表面上に取り付けられているコルク、リノリウム、マーモリウム（登録商標）、ゴム、寄木細工、ストリップまたはプラスチック床面を含む床面。  該中間層は弾力性で、おそらく復元力のある物質からなる。  本発明は、更に、床面の敷設方法に関する。【特許請求の範囲】
【請求項１】
接着剤層が、溶媒および水を実質的に含まない接着剤を含むことを特徴とする、床面要素および基礎表面の間に、少なくとも１つの側に前記接着剤層を有する中間層が備えられている、前記基礎表面上に敷設される前記床面要素からなる床面。
【請求項２】
中間層が、弾力性であり、接着剤と一体化していることを特徴とする、請求項１に記載の床面。
【請求項３】
接着剤が、改質アクリルポリマーを含むことを特徴とする、請求項１から２に記載の床面。
【請求項４】
床面要素が、コルク、リノリウム、マーモリウム（marmoleum）（登録商標）、ゴム、寄木細工およびプラスチック材料またはそれらの組み合わせからなる群から選ばれることを特徴とする、請求項１から３に記載の床面。
【請求項５】
中間層の接着剤層が、中間層上に床面要素が置かれる前または後に取り除かれ得るホイルで覆われ、このようにして中間層の接着剤層を基礎表面および／または床面要素に接着するために露出することを特徴とする、請求項１から４に記載の床面。
【請求項６】
中間層が両側に接着剤層を備え、前記接着剤層が露出されて基礎表面および／または床面要素に対して接着するように、前記中間層上に床面要素が取り付けられる前または後に前記接着剤層の少なくとも１つが取り除かれ得る着脱可能なホイルで覆われていることを特徴とする、請求項１から５に記載の床面。
【請求項７】
接着剤層の少なくとも１つが、実質的に溶媒および水を含まない接着剤を含むことを特徴とする、少なくとも１つの側に接着剤層を備えた中間層を基礎表面上に取り付けること、その取り付け後、前記中間層上に床面要素が取り付けられて床面を形成すること、基礎表面、中間層および床面要素の集合が１つ以上の接着剤層を用いて相互に連結されていることとを含む、基礎表面上に床面を敷設する方法。
【請求項８】
床面要素と中間層の間の接着剤層に存在する接着剤が、実質的に溶媒および水を含まないことを特徴とする、請求項７に記載の方法。
【請求項９】
基礎表面と中間層の間の接着剤層に存在する接着剤が、実質的に溶媒および水を含まないことを特徴とする、請求項７から８に記載の方法。
【請求項１０】
１つの側に、着脱可能なホイルで覆われた接着剤層が備えられている中間層が用いられること特徴とする、請求項７に記載の方法。
【請求項１１】
両側に、着脱可能なホイルで覆われた接着剤層が備えられている中間層が用いられること特徴とする、請求項７に記載の方法。
【請求項１２】
中間層が弾力性であり、床面要素が、コルク、リノリウム、マーモリウム（登録商標）、ゴム、寄木細工、ストリップ（strip）およびプラスチック材料またはそれらの組み合わせからなる群から選ばれることを特徴とする、請求項7から１１に記載の方法。
【発明の詳細な説明】
【技術分野】
【０００１】
本発明は、基礎表面上に敷設された床面要素からなり、該床面要素と該基礎表面の間に少なくとも１つの側に基礎表面に接着され得る接着剤層を備えた中間層が存在する、基礎表面上に取り付けられるまたは取り付けられているコルク、リノリウム、マーモリウム（登録商標）、ゴム、寄木細工、ストリップ（strip）およびプラスチック床面などの床面に関する。
【発明の開示】
【課題を解決するための手段】
【０００２】
このような床面（特に寄木細工）は、本出願人の名で欧州特許第０６２９７５５号から知られている。更なる研究により、接着剤の改質によって既存の床面を改善することが可能であることが示された。これは、床面要素と基礎表面の間に適用される接着剤に実質的に溶媒および水を含ませないことにより可能であることが見出された。
【０００３】
本発明は、該接着剤層が、実質的に溶媒および水を含まない接着剤を含むことを特徴とする。
【０００４】
これはまた、接着剤およびセメントに重要であり、本発明の「乾式接着法」においては、長時間であり、事実上制限されていない因子である、所謂「ウェット・エッジ・タイム（wet-edge time）」または硬化時間および処理温度を考慮する必要をなくすことを達成し、その一方で、更に即時の最適な接着が達成される。更に、接着剤の硬化時間（この硬化時間は、通常の接着剤およびセメントの種類について好ましくなく長い。）が、劇的に短縮され得、その結果、床面の敷設がより早く実施され得、もはや望ましくない蒸気が放出されない。
【０００５】
本方法ならびに床面の特別な実施形態は、添付の請求項に表現されている。上記の欠点に加えて、放出される溶媒は床面を覆う材料の変形または脱色をしばしばもたらすが、本「乾式接着法」では、それはあり得ないことを付け加える。該接着層はまた、接着を最適化する、充填剤、架橋剤、ＵＶ安定剤、顔料、流動剤などを含み得る。
【０００６】
該中間層は弾力性および／または伸縮性であり、該床面要素が該接着剤に接触する前に１つの側または両側に適用されている接着剤と一体化されていることが好適である。１つの側の実施形態は、医療機関、病院、老人ホーム、研究所などにおいては、床面の被覆が、同じ場所にあまりに長く留まることは細菌、真菌、ダニおよび病原菌の問題のために好ましくないので、特に重要である。被覆は容易に取り除かれ、交換され得るものでなければならない。残存する接着剤も同様にすべて取り除く必要があったために、以前は、被覆の除去は非常に労働集約的で、時間がかかり、従ってコストが高くついた。本発明による床面には、これらの欠点がない。反対に、本発明による方法によって敷設された床面は、すばやく取り除かれ得、除去後に、新しい、および、（場合により）従来技術による「抗細菌性」床面が取り付けられ得る。実際には、これは、床面部分がその上に置かれるまたは置かれていた前または後に取り除かれ得、好適にはポリエチレンまたは他の適した材料からなる、高い引っ張り強度のフィルムまたは保護層で被覆された接着剤を該中間層が備える方法で行われる。該接着剤自身は接着性ポリマー、特に改質アクリルポリマーにより形成され得る。
【０００７】
好適には、該中間層は、弾力性または伸縮性であり、該床面要素は、コルク、リノリウム、マーモリウム（登録商標）、ゴム、寄木細工およびプラスチックまたはそれらの組み合わせからなる群から選ばれる材料で作られている。
【０００８】
更に、本発明は、基礎表面上にコルク、マーモリウム（登録商標）、リノリウム、ゴム、寄木細工、ストリップまたはプラスチック床面などの床面を敷設する方法に関し、その床面は基礎表面上に敷設された床面要素からなり、該床面要素および該基礎表面の間に中間層が存在し、該中間層は１つの側に接着剤層を備えた接着剤を備え、中間層及び接着剤の集合が該基礎表面上に敷設され、該基礎表面はすでに接着剤層を備え得、該床面要素が、該中間層上に置かれる前または後に、該保護ホイルが、該中間層の上部側から取り除かれ、その後またはそれによって、床面要素が露出した接着剤上に置かれ、このようにして床面を形成する方法に関し、該方法は用いられる接着剤が実質的に溶剤および水を全く含まないことで特徴づけられる。好適には、該接着剤は、改質アクリルポリマーに基づく。
【０００９】
該中間層が該基礎表面上に接着して敷設され得るように、該中間層が２つの側に接着剤を備えている場合は、該方法は、該中間層及び接着剤の集合体から下部の保護ホイルが取り除かれ、露出された接着剤がついで、該中間層と共に、該基礎表面に敷設され、この後、該床面要素が該中間層の上に置かれる前または後に、該中間層の上部側の第２の被覆フィルムが、該中間層の上部側に存在する接着剤から取り除かれ、この後、該床面要素は露出された接着剤に固く接着し、このようにして、実質的に溶媒および水を含まず、好適には改質アクリルポリマーである接着剤が用いられて、床面を形成する。
【００１０】
更に、該中間層は好適には弾力性材料で作られ、該床面要素は好適にはコルク、リノリウム、マーモリウム（登録商標）、ゴム、寄木細工およびプラスチックまたはそれらの組み合わせからなる群から選ばれる材料で作られる。
【国際調査報告】
2009527670.tif 000002
2009527670.tif 000003